(57)【要約】  ビデオデータに対する電光変換の処理が適切に行われるようにする。  取得部は、ハイダイナミックレンジビデオデータにハイダイナミックレンジ光電変換を行って得られたビデオデータを取得する。処理部は、取得されたビデオデータに電光変換を含む処理を行って表示用ビデオデータを得る。処理部では、電光変換の特性が、取得されたビデオデータに関連した光電変換の特性情報に対応したものとされる。制御部は、処理部における電光変換の特性をユーザの選択操作に応じて切り替える。
2018131704.tif 000002
【特許請求の範囲】
【請求項１】
ハイダイナミックレンジビデオデータにハイダイナミックレンジ光電変換を行って得られたビデオデータを取得する取得部と、
上記取得されたビデオデータに電光変換を含む処理を行って表示用ビデオデータを得る処理部を備え、
上記処理部では、自動モードにあるときは、上記電光変換の特性が上記取得されたビデオデータに関連した光電変換の特性情報に対応したものとされ、
上記処理部における上記電光変換の特性をユーザの選択操作に応じて切り替える制御部をさらに備える
ビデオ処理装置。
【請求項２】
上記制御部は、
上記取得部で取得されたビデオデータの入力系に基づいて切り替え可能か否かを判断し、
切り替え可能と判断するとき、上記処理部における上記電光変換の特性をユーザの選択操作に応じて切り替える
請求項１に記載のビデオ処理装置。
【請求項３】
上記制御部は、
上記入力系が放送であるときは切り替え不可能と判断する
請求項２に記載のビデオ処理装置。
【請求項４】
上記制御部は、
上記取得されたビデオデータに関連した光電変換の特性情報に基づいて切り替え可能か否かを判断し、
切り替え可能と判断するとき、上記処理部における上記電光変換の特性をユーザの選択操作に応じて切り替える
請求項１に記載のビデオ処理装置。
【請求項５】
上記制御部は、
上記光電変換の特性情報がハイダイナミックレンジの光電変換の特性情報であるときは切り替え不可能と判断する
請求項４に記載のビデオ処理装置。
【請求項６】
上記ユーザの選択操作に応じて切り替えられる電光変換の特性に、第１のハイダイナミックレンジ電光変換に基づいたものと、第２のハイダイナミックレンジ電光変換に基づいたものが含まれる
請求項１に記載のビデオ処理装置。
【請求項７】
上記第１のハイダイナミックレンジ電光変換に基づいたものは、ＳＭＰＴＥ  ＳＴ２０８４、またはＩＴＵ−Ｒ  ＢＴ．２１００で規定されているものに対応しており、上記第２のハイダイナミックレンジ電光変換に基づいたものは、ＩＴＵ−Ｒ  ＢＴ．２１００（上記ＩＴＵ−Ｒ  ＢＴ．２１００とは異なる）に規定されているものに対応している
請求項６に記載のビデオ処理装置。
【請求項８】
上記制御部は、
上記電光変換の特性を切り替えるための表示を行うように制御し、
上記ユーザの選択操作は上記表示に基づいて行われる
請求項１に記載のビデオ処理装置。
【請求項９】
取得部が、ハイダイナミックレンジビデオデータにハイダイナミックレンジ光電変換を行って得られたビデオデータを取得する取得ステップと、
処理部が、上記取得されたビデオデータに電光変換を含む処理を行って表示用ビデオデータを得る処理ステップを有し、
上記処理ステップでは、自動モードにあるときは、上記電光変換の特性が上記取得されたビデオデータに関連した光電変換の特性情報に対応したものとされ、
制御部が、上記処理ステップにおける上記電光変換の特性をユーザの選択操作に応じて切り替える制御ステップをさらに有する
ビデオ処理方法。
【請求項１０】
取得部が、ハイダイナミックレンジビデオデータにハイダイナミックレンジ光電変換を行って得られたビデオデータを取得する取得ステップと、
処理部が、上記取得されたビデオデータに電光変換を含む処理を行って表示用ビデオデータを得る処理ステップを有し、
上記処理ステップでは、自動モードにあるときは、上記電光変換の特性が上記取得されたビデオデータに関連した光電変換の特性情報に対応したものとされ、
制御部が、上記処理ステップにおける上記電光変換の特性をユーザの選択操作に応じて切り替える制御ステップをさらに有する
ビデオ処理方法をコンピュータに実行させるためのプログラム。
【発明の詳細な説明】
【技術分野】
【０００１】
本技術は、ビデオ処理装置、ビデオ処理方法およびプログラムに関し、詳しくは、ハイダイナミックレンジ（ＨＤＲ）光電変換を行って階調圧縮されたビデオデータを取得して処理をするビデオ処理装置等に関する。
【背景技術】
【０００２】
従来、ハイダイナミックレンジビデオデータにハイダイナミックレンジ光電変換を行って得られたビデオデータを放送等の入力系で取得し、このビデオデータにハイダイナミックレンジ電光変換を含む処理を行って表示用ビデオデータを得るビデオ処理装置が知られている（例えば、特許文献１参照）。
【先行技術文献】
【特許文献】
【０００３】
【特許文献１】特開２０１６−１９５４５０号公報
【発明の概要】
【発明が解決しようとする課題】
【０００４】
ハイダイナミックレンジビデオデータにハイダイナミックレンジ光電変換を行って得られたビデオデータには光電変換の特性情報が挿入されるようになっている。ビデオデータに対してこの光電変換の特性情報に基づいて電光変換を行うことで表示用ビデオデータを得ることができる。【０００５】
この場合、ビデオデータに挿入されている光電変換の特性情報に誤りがあると、適切な電光変換が行われないことから、表示用ビデオデータを正しく得ることができなくなる。例えば、ビデオデータの入力系がＵＳＢメモリ等のメディアインタフェース、インターネットなどの通信インタフェース、ＨＤＭＩ等のデジタルインタフェース等にあっては、ビデオデータに光電変換の特性情報が正しく挿入されていないことが考えられる。【０００６】
本技術の目的は、ビデオデータに対する電光変換の処理が適切に行われるようにすることにある。
【課題を解決するための手段】
【０００７】
本技術の概念は、
ハイダイナミックレンジビデオデータにハイダイナミックレンジ光電変換を行って得られたビデオデータを取得する取得部と、
上記取得されたビデオデータに電光変換を含む処理を行って表示用ビデオデータを得る処理部を備え、
上記処理部では、自動モードにあるときは、上記電光変換の特性が上記取得されたビデオデータに関連した光電変換の特性情報に対応したものとされ、
上記処理部における上記電光変換の特性をユーザの選択操作に応じて切り替える制御部をさらに備える
ビデオ処理装置にある。【０００８】
本技術において、取得部により、ハイダイナミックレンジビデオデータにハイダイナミックレンジ光電変換を行って得られたビデオデータが取得される。そして、処理部により、取得されたビデオデータに電光変換を含む処理が行われて表示用ビデオデータが得られる。処理部では、自動モードにあるときは、電光変換の特性が取得されたビデオデータに関連した光電変換の特性情報に対応したものとされる。【０００９】
制御部により、処理部における電光変換の特性がユーザの選択操作に応じて切り替えられる。例えば、制御部は、取得部で取得されたビデオデータの入力系に基づいて切り替え可能か否かを判断し、切り替え可能と判断するとき、処理部における電光変換の特性をユーザの選択操作に応じて切り替える、ようにされてもよい。この場合、例えば、制御部は、入力系が放送であるときは切り替え不可能と判断する、ようにされてもよい。【００１０】
また、例えば、制御部は、取得されたビデオデータに関連した光電変換の特性情報に基づいて切り替え可能か否かを判断し、切り替え可能と判断するとき、処理部における電光変換の特性をユーザの選択操作に応じて切り替える、ようにされてもよい。この場合、例えば、制御部は、光電変換の特性情報がハイダイナミックレンジの光電変換の特性情報であるときは切り替え不可能と判断する、ようにされてもよい。【００１１】
例えば、ユーザの選択操作に応じて切り替えられる電光変換の特性に、第１のハイダイナミックレンジ電光変換に基づいたものと、第２のハイダイナミックレンジ電光変換に基づいたものが含まれる、ようにされてもよい。この場合、例えば、第１のハイダイナミックレンジ電光変換に基づいたものは、ＳＭＰＴＥ  ＳＴ２０８４、またはＩＴＵ−Ｒ  ＢＴ．２１００で規定されているものに対応しており、第２のハイダイナミックレンジ電光変換に基づいたものは、ＩＴＵ−Ｒ  ＢＴ．２１００（上記ＩＴＵ−Ｒ  ＢＴ．２１００とは異なる）に規定されているものに対応している、ようにされてもよい。【００１２】
このように本技術においては、処理部における電光変換の特性をユーザの選択操作に応じて切り替えることができる。そのため、ビデオデータに挿入されている光電変換の特性情報に誤りがあった場合にあっても、当該ビデオデータに対する電光変換の処理が適切に行われるようにすることが可能となる。【００１３】
なお、本技術において、例えば、制御部は、電光変換の特性を切り替えるための表示を行うように制御し、ユーザの選択操作はこの表示に基づいて行われる、ようにされてもよい。この場合、ユーザは、表示に基づいて、選択操作を容易かつ的確に行うことが可能となる。
【発明の効果】
【００１４】
本技術によれば、ビデオデータに対する電光変換の処理が適切に行われるようにすることが可能となる。なお、本明細書に記載された効果はあくまで例示であって限定されるものではなく、また付加的な効果があってもよい。
【図面の簡単な説明】
【００１５】
【図１】実施の形態としてのビデオ処理装置の構成例を示すブロック図である。
【図２】ＶＵＩパラメータの構造例の一部を示す図である。
【図３】ＶＵＩパラメータにおける「transfer_characteristics」のフィールドを説明するための図である。
【図４】ダイナミックレンジ/マスターリング・インフォフレーム・パケットの構造例を示す図である。
【図５】電光変換の特性を切り替えるためのＵＩ画面の一例を示す図である。
【発明を実施するための形態】
【００１６】
以下、発明を実施するための形態（以下、「実施の形態」とする）について説明する。なお、説明を以下の順序で行う。
１．実施の形態
２．変形例
【００１７】
＜１．実施の形態＞
［ビデオ処理装置の構成例］
図１は、実施の形態としてのビデオ処理装置１００の構成例を示している。ビデオ処理装置１００は、ＣＰＵ１０１と、フラッシュＲＯＭ１０２と、ＤＲＡＭ１０３と、ユーザ操作部１０４を有している。
【００１８】
また、ビデオ処理装置１００は、通信インタフェース１１１と、ＵＳＢ（Universal Serial Bus）インタフェース１１２と、地上波受信部１１３と、ケーブル受信部１１４と、ＨＤＭＩ（High-Definition Multimedia Interface）受信部１１５と、セレクタ１１６を有している。また、ビデオ処理装置１００は、ＭＰＥＧデコーダ１１７と、セレクタ１１８と、ビデオ処理部１１９と、ＯＳＤ部１２０と、合成部１２１と、ディスプレイ１２２を有している。なお、「ＨＤＭＩ」は登録商標である。
【００１９】
ＣＰＵ１０１は、ビデオ処理装置１００の各部の動作を制御する。フラッシュＲＯＭ１０２は、制御ソフトウェアの格納およびデータの保管を行う。ＤＲＡＭ１０３は、ＣＰＵ１０１のワークエリアを構成する。ＣＰＵ１０１は、フラッシュＲＯＭ１０２から読み出したソフトウェアやデータをＤＲＡＭ１０３上に展開してソフトウェアを起動させ、ビデオ処理装置１００の各部を制御する。
【００２０】
ユーザ操作部１０４は、ユーザが種々の操作を行うためのユーザインタフェースを構成しており、ＣＰＵ１０１に接続されている。この実施の形態においては、後述するように、一定の条件下で、ビデオ処理部１１９における電光変換の特性を切り替えるための選択操作も可能とされる。
【００２１】
通信インタフェース１１１は、有線ＬＡＮ（Local Area Network）あるいは無線ＬＡＮを通じてインターネット等のネットワーク上のサーバから圧縮ビデオデータを得る。この圧縮ビデオデータは、ハイダイナミックレンジビデオデータにハイダイナミックレンジ光電変換が行われ、さらに、例えば、ＭＰＥＧ４−ＡＶＣ（Advanced Video Coding）あるいはＨＥＶＣ（High Efficiency Video Coding）などの符号化が施されたものである。なお、以下のＵＳＢインタフェース１１２、地上波受信部１１３およびケーブル受信部１１４で取得される圧縮ビデオデータに関しても同様である。
【００２２】
ハイダイナミックレンジ光電変換は、ハイダイナミックレンジ用の光電気伝達関数（ＯＥＴＦ：Optical-Electro Transfer Function）を用いてリニア領域からビット長圧縮をする階調圧縮処理を意味する。この階調圧縮処理により、ハイダイナミックレンジビデオデータは、ログカーブ特性で階調圧縮されたものとなる。
【００２３】
ここで、ログカーブ特性とは対数関数そのものではなく、低輝度の階調が密で、高輝度の階調が疎となるような特性のカーブのことを言い、例えば、ＰＱ（Perceptual Quantization）カーブ特性、ＨＬＧ（Hybrid Log-Gamma）カーブ特性などがある。ＰＱカーブは、ＳＭＰＴＥ  ＳＴ２０８４、あるいはＩＴＵ−Ｒ  ＢＴ．２１００（ＰＱ）として規格化されている。ＨＬＧカーブは、ＩＴＵ−Ｒ  ＢＴ．２１００（ＨＬＧ）として規格化されている。
【００２４】
ＵＳＢインタフェース１１２は、ＵＳＢケーブルで接続されたビデオ機器あるいは直接接続されたＵＳＢメモリから圧縮ビデオデータを得る。地上波受信部１１３は、地上波デジタル放送を受信して圧縮ビデオデータを得る。ケーブル受信部１１４は、ケーブル放送を受信して圧縮ビデオデータを得る。
【００２５】
通信インタフェース１１１、ＵＳＢインタフェース１１２、地上波受信部１１３およびケーブル受信部１１４で得られる圧縮ビデオデータのアクセスユニット（ＡＵ）のＳＰＳ ＮＡＬユニットにはＶＵＩ（video usability information）の領域が存在し、この領域に光電変換の特性情報が挿入されるようになっている。
【００２６】
図２は、ＶＵＩパラメータ（vui_parameters）の構造例（Syntax）の一部を示している。「transfer_characteristics」の８ビットフィールドは、光電変換の特性情報を示している。図３に示すように、例えば、値（Value）が“１６”であるときはＰＱカーブを用いた光電変換が施されていることを示し、値（Value）が“１８”であるときはＨＬＧカーブを用いた光電変換が施されていることを示す。
【００２７】
図１に戻って、ＨＤＭＩ受信部１１５は、ＨＤＭＩに準拠した通信により、セットトップボックス、プレーヤなどのビデオ機器から非圧縮のビデオデータを受信する。このビデオデータは、ハイダイナミックレンジビデオデータにハイダイナミックレンジ光電変換が行われたものである。このビデオデータのブランキング期間に挿入されているダイナミックレンジ/マスターリング・インフォフレーム・パケット（Dynamic Range and Mastering InfoFrame Packet）には、光電変換の特性情報が記述されるようになっている。
【００２８】
図４（ａ）は、ダイナミックレンジ/マスターリング・インフォフレーム・パケットの構造例（Syntax）を示している。第０バイトにインフォフレームのタイプを示す「InfoFrame Type」が定義されており、ここではダイナミックレンジ/マスターリング・インフォフレーム・パケットを示す「0x07」となっている。
【００２９】
データバイト１（Data Byte 1）の第２ビットから第０ビットに３ビットの「EOTF」が定義される。図４（ｂ）に示すように、例えば、“２”であるときはＰＱカーブを用いた光電変換が施されていることを示し、“３”であるときはＨＬＧカーブを用いた光電変換が施されていることを示す。
【００３０】
ＨＤＭＩ受信部１１５は、ビデオデータのブランキング期間に挿入されている種々の情報を抽出し、ＣＰＵ１０１に送る。この情報には、上述したダイナミックレンジ/マスターリング・インフォフレーム・パケットに記述された光電変換の特性情報も含まれる。
【００３１】
図１に戻って、セレクタ１１６は、ユーザ操作部１０４からのユーザの選択操作に応じて、ＣＰＵ１０１の制御のもと、通信インタフェース１１１、ＵＳＢインタフェース１１２、地上波受信部１１３またはケーブル受信部１１４で得られる圧縮ビデオデータを選択的に抽出する。
【００３２】
ＭＰＥＧデコーダ１１７は、セレクタ１１６で抽出された圧縮ビデオデータにデコード処理を施して非圧縮ビデオデータを得る。また、ＭＰＥＧデコーダ１１７は、圧縮ビデオデータに挿入されているパラメータセットやＳＥＩメッセージ等の種々の情報を抽出し、ＣＰＵ１０１に送る。この情報には、ＳＰＳ ＮＡＬユニットのＶＵＩ領域に挿入されている光電変換の特性情報も含まれる。
【００３３】
セレクタ１１８は、ユーザ操作部１０４からのユーザの選択操作に応じて、ＣＰＵ１０１の制御のもと、ＭＰＥＧデコーダ１１７またはＨＤＭＩ受信部１１５で得られる非圧縮のビデオデータを選択的に抽出する。ビデオ処理部１１９は、セレクタ１１８で抽出されたビデオデータに電光変換処理、画質調整処理などを行って表示用ビデオデータを得る。
【００３４】
この場合、ビデオ処理部１１９における電光変換の特性は、自動モードにあるときは、ＣＰＵ１０１の制御のもと、光電変換の情報に基づいて、ビデオデータに施されている光電変換の特性とは逆の特性とされる。また、ビデオ処理部１１９における電光変換の特性は、ユーザ操作部１０４からのユーザの選択操作に応じて、ＣＰＵ１０１の制御のもと、自動モードが解除され、手動での切り替えが可能とされる。
【００３５】
この実施の形態では、電光変換の特性は、ハイダイナミックレンジ電光変換特性としてＰＱカーブに対応した特性またはＨＬＧカーブに対応した特性に、さらに通常ダイナミンクレンジに対応した特性に切り替え可能とされる。
【００３６】
ＯＳＤ（On Screen Display）部１２０は、ＣＰＵ１０１の制御のもと、ＯＳＤ信号としての表示信号を発生する。上述した、電光変換の特性をユーザ操作に応じて手動で切り替えるためのＵＩ（User Interface）画面を表示する表示信号も発生する。例えば、図５（ａ）に示すアドバンス・セッティングのＵＩ画面における「Video options」の項目で「HDR mode」を選択することで、図５（ｂ）に示すようなＵＩ画面の表示となる。
【００３７】
ユーザは、このＵＩ画面に基づいて、ユーザはユーザ操作部１０４を操作することで、図５（ｃ）に示す「Auto」、「HDR10」、「HLG」、「Off」の各モードに選択的に切り替えることが可能となる。「Auto」のモードは、上述した自動モードである。
【００３８】
「HDR10」のモードは、ビデオ処理部１１９における電光変換の特性をＰＱカーブに対応した特性に固定するモードである。「HLG」のモードは、ビデオ処理部１１９における電光変換の特性をＨＬＧカーブに対応した特性に固定するモードである。「Off」のモードは、ビデオ処理部１１９における電光変換の特性を通常ダイナミンクレンジ（ＳＤＲ）電光変換特性に固定するモードである。
【００３９】
なお、ＣＰＵ１０１は、ユーザが「Auto」のモードから、「HDR10」、「HLG」、「Off」のいずれかのモードに選択的に切り替えることが可能か否かを判断し、可能と判断するとき、切り替え可能にする。この実施の形態において、ＣＰＵ１０１は、セレクタ１１８で抽出されたビデオデータの入力系が放送（地上波放送、ケーブル放送）であるときは切り替え不可能と判断し、その他であるときは切り替え可能と判断する。
【００４０】
これは、入力系が放送である場合には、圧縮ビデオデータに挿入されている光電変換の情報の精度が高く、自動モードとして、ビデオ処理部１１９における電光変換の特性をその光電変換の特性情報に基づいたものとしてもビデオデータに対する電光変換の処理を適切に行い得ると考えられ、ビデオ処理部１１９における電光変換の特性をユーザ操作に応じて切り替えることで誤った電光変換特性での処理が行われることを回避するためである。
【００４１】
なお、入力系が放送である場合の他、入力系が十分に信頼のおけるものであって光電変換の特性情報の精度が高い入力系の場合、例えば“Netflix”のようなコンテンツサーバからのビデオデータである場合には、自動モードから他のモードへの切り替えが不可能と判断することも可能である。「Netflix」は登録商標である。
【００４２】
図１に戻って、合成部１２１は、ビデオ処理部１１９で得られた表示用ビデオデータにＯＳＤ部１２０で発生された表示信号を合成する。ディスプレイ１２２は、合成部１２１で得られた表示用ビデオデータによる画像を表示する。このディスプレイ１２２は、例えば、ＬＣＤ(Liquid Crystal Display)、有機ＥＬディスプレイ（organic electroluminescence display）などで構成されている。
【００４３】
図１に示すビデオ処理装置１００の動作を簡単に説明する。通信インタフェース１１１では、有線ＬＡＮあるいは無線ＬＡＮを通じてインターネット等のネットワーク上のサーバから圧縮ビデオデータが得られる。ＵＳＢインタフェース１１２では、ＵＳＢケーブルで接続されたビデオ機器あるいは直接接続されたＵＳＢメモリから圧縮ビデオデータが得られる。地上波受信部１１３では、地上波デジタル放送が受信されて圧縮ビデオデータが得られる。ケーブル受信部１１４では、ケーブル放送が受信されて圧縮ビデオデータが得られる。
【００４４】
このように通信インタフェース１１１、ＵＳＢインタフェース１１２、地上波受信部１１３およびケーブル受信部１１４で得られる圧縮ビデオデータは、ハイダイナミックレンジビデオデータにハイダイナミックレンジ光電変換が行われ、さらに、例えば、ＭＰＥＧ４−ＡＶＣあるいはＨＥＶＣなどの符号化が施されたものである。この圧縮ビデオデータのアクセスユニット（ＡＵ）のＳＰＳ ＮＡＬユニットにはＶＵＩ（video usability information）の領域が存在し、この領域に光電変換の特性情報が挿入されるようになっている。
【００４５】
通信インタフェース１１１、ＵＳＢインタフェース１１２、地上波受信部１１３およびケーブル受信部１１４で得られる圧縮ビデオデータは、セレクタ１１６に供給される。このセレクタ１１６では、ユーザ操作部１０４からのユーザの選択操作に応じて、ＣＰＵ１０１の制御のもと、通信インタフェース１１１、ＵＳＢインタフェース１１２、地上波受信部１１３またはケーブル受信部１１４で得られる圧縮ビデオデータが選択的に抽出される。
【００４６】
セレクタ１１６で抽出された圧縮ビデオデータは、ＭＰＥＧデコーダ１１７に供給される。ＭＰＥＧデコーダ１１７では、セレクタ１１６で抽出された圧縮ビデオデータにデコード処理が施されて非圧縮ビデオデータが得られる。また、ＭＰＥＧデコーダ１１７では、圧縮ビデオデータに挿入されているパラメータセットやＳＥＩメッセージ等の種々の情報が抽出され、ＣＰＵ１０１に送られる。この情報には、ＳＰＳ ＮＡＬユニットのＶＵＩ領域に挿入されている光電変換の特性情報も含まれる（図２、図３参照）。
【００４７】
ＨＤＭＩ受信部１１５では、ＨＤＭＩに準拠した通信により、セットトップボックス、再生機などのビデオ機器から非圧縮のビデオデータが受信される。このビデオデータは、ハイダイナミックレンジビデオデータにハイダイナミックレンジ光電変換が行われたものである。また、ＨＤＭＩ受信部１１５では、ビデオデータのブランキング期間に挿入されている種々の情報が抽出され、ＣＰＵ１０１に送られる。この情報には、ダイナミックレンジ/マスターリング・インフォフレーム・パケットに記述された光電変換の特性情報も含まれる（図４参照）。
【００４８】
ＭＰＥＧデコーダ１１７およびＨＤＭＩ受信部１１５で得られた非圧縮ビデオデータはセレクタ１１８に供給される。セレクタ１１８では、ユーザ操作部１０４からのユーザの選択操作に応じて、ＣＰＵ１０１の制御のもと、ＭＰＥＧデコーダ１１７またはＨＤＭＩ受信部１１５で得られる非圧縮のビデオデータが選択的に抽出される。
【００４９】
セレクタ１１８で抽出された非圧縮ビデオデータは、ビデオ処理部１１９に供給される。このビデオ処理部１１９では、セレクタ１１８で抽出されたビデオデータに電光変換処理、画質調整処理などが行われて表示用ビデオデータが得られる。
【００５０】
ビデオ処理部１１９における電光変換の特性は、自動モードにあるときは、ＣＰＵ１０１の制御のもと、光電変換の情報に基づいて、ビデオデータに施されている光電変換の特性とは逆の特性とされる。また、ビデオ処理部１１９における電光変換の特性は、ユーザ操作部１０４からのユーザの選択操作に応じて、ＣＰＵ１０１の制御のもと、自動モードが解除され、手動での切り替えが可能とされる。
【００５１】
この場合、電光変換の特性は、ハイダイナミックレンジ電光変換特性としてＰＱカーブに対応した特性またはＨＬＧカーブに対応した特性に、さらに通常ダイナミンクレンジに対応した特性に切り替え可能とされる。なお、ＣＰＵ１０１により、セレクタ１１８で抽出されたビデオデータの入力系が放送（地上波放送、ケーブル放送）であるときは切り替え不可能とされ、その他であるときは切り替え可能とされる。
【００５２】
ＯＳＤ部１２０では、ＣＰＵ１０１の制御のもと、ＯＳＤ信号としての表示信号が発生される。ビデオ処理部１１９における電光変換の特性を切り替えるためのＵＩ画面を表示する表示信号も発生される（図５（ａ），（ｂ）参照）。ＯＳＤ部１２０で発生される表示信号は、合成部１２１に供給される。
【００５３】
合成部１２１では、ビデオ処理部１１９で得られた表示用ビデオデータにＯＳＤ部１２０で発生された表示信号が合成される。合成部１２１で得られた表示用ビデオデータは、ディスプレイ１２２に供給される。ディスプレイ１２２には、表示用ビデオデータによる画像が表示される。そして、この画像上に適宜表示信号によるＵＩ画面の表示がなされる（図５参照）。
【００５４】
上述したように、図１に示すビデオ処理装置１００においては、ビデオ処理部１１９における電光変換の特性を、自動モードを解除して、ユーザの選択操作に応じて切り替えることができる。そのため、ビデオデータに挿入されている光電変換の特性情報に誤りがあった場合にあっても、当該ビデオデータに対する電光変換の処理が適切に行われるようにすることが可能となる。これにより、画像表示を適切に行うことが可能となる。
【００５５】
また、図１に示すビデオ処理装置１００においては、ＣＰＵ１０１は、セレクタ１１８で抽出されたビデオデータの入力系が放送（地上波放送、ケーブル放送）であるときは切り替え不可能と判断し、その他であるときは切り替え可能と判断する。これにより、圧縮ビデオデータに挿入されている光電変換の情報の精度が高い放送入力系である場合に、ビデオ処理部１１９における電光変換の特性をユーザ操作に応じて切り替えることで誤った電光変換特性での処理が行われることを回避できる。
【００５６】
また、図１に示すビデオ処理装置１００においては、ＣＰＵ１０１の制御のもと、ＯＳＤ部１２０からビデオ処理部１１９における電光変換の特性を切り替えるためのＵＩ画面を表示する表示信号も発生される。そのため、ユーザは、ＵＩ画面（ＵＩ表示）に基づいて、選択操作を容易かつ的確に行うことが可能となる。
【００５７】
＜２．変形例＞
なお、上述実施の形態においては、ＣＰＵ１０１は、セレクタ１１８で抽出されたビデオデータの入力系が放送（地上波放送、ケーブル放送）であるときは切り替え不可能と判断し、その他であるときは切り替え可能と判断するものであった。
【００５８】
しかし、切り替え可能か否かの判断基準は、これに限定されるものではない。ＣＰＵ１０１は、例えば、セレクタ１１８で抽出された非圧縮ビデオデータに関連した光電変換の情報に基づいて切り替え可能か否かを判断することも考えられる。例えば、ＣＰＵ１０１は、光電変換の特性情報がハイダイナミックレンジ電光変換の特性情報であるときは切り替え不可能と判断し、その他であるときは切り替え可能と判断してもよい。
【００５９】
この場合、セレクタ１１８で抽出された非圧縮ビデオデータがＭＰＥＧデコーダ１１７で得られたものであるときは、「transfer_characteristics」が“１６”または“１８”の値であるときは切り替え不可能と判断し、その他の値であるときは切り替え可能と判断する。これは、「transfer_characteristics」が“１６”または“１８”の値であるときは、作成側がハイダイナミックレンジの情報を入れたと解釈できるので、自動モードに固定し、ユーザ操作による電光変換の特性の切り替えを不可能にする。一方、「transfer_characteristics」が“１６”または“１８”の値以外であるときは、作成側がハイダイナミックレンジの情報を付加しなかった可能性を考えて、ユーザ操作による電光変換の特性の切り替えを可能にする。
【００６０】
また、この場合、セレクタ１１８で抽出された非圧縮ビデオデータがＨＤＭＩ受信部１１５で得られたものであるときは、「EOTF」が“２”または“３”の値であるときは切り替え不可能と判断し、その他の値であるときは切り替え可能と判断する。これは、「EOTF」が“２”または“３”の値であるときは、作成側がハイダイナミックレンジの情報を入れたと解釈できるので、自動モードに固定し、ユーザ操作による電光変換の特性の切り替えを不可能にする。一方、「EOTF」が“２”または“３”の値以外であるときは、作成側がハイダイナミックレンジの情報を付加しなかった可能性を考えて、ユーザ操作による電光変換の特性の切り替えを可能にする。
【００６１】
また、上述実施の形態においては、ユーザがハイダイナミックレンジ光電変換の特性としてＰＱカーブに対応した特性またはＨＬＧカーブに対応した特性に切り替え可能な例を示したが、本技術はこれに限定されるものではなく、ユーザがハイダイナミックレンジ光電変換の特性としてさらに多くの特性の切り替えを可能とすることも考えられる。
【００６２】
また、上述実施の形態における入力系は一例であって、これに限定されるものではない。例えば、放送系に関しては、地上波放送およびケーブル放送を示しているが、その他にＢＳ放送、ＣＳ放送等も考えられる。
【００６３】
また、上述実施の形態におけるビデオ処理装置１００は受信部を備えるテレビ受信機を想定したものであるが、本技術は、これに限定されない。本技術は、その他のビデオ処理装置、例えばセットトップボックスやプレーヤなどにも同様に適用できることは勿論である。
【００６４】
また、本技術は、以下のような構成を取ることもできる。
（１）ハイダイナミックレンジビデオデータにハイダイナミックレンジ光電変換を行って得られたビデオデータを取得する取得部と、
上記取得されたビデオデータに電光変換を含む処理を行って表示用ビデオデータを得る処理部を備え、
上記処理部では、自動モードにあるときは、上記電光変換の特性が上記取得されたビデオデータに関連した光電変換の特性情報に対応したものとされ、
上記処理部における上記電光変換の特性をユーザの選択操作に応じて切り替える制御部をさらに備える
ビデオ処理装置。
（２）上記制御部は、
上記取得部で取得されたビデオデータの入力系に基づいて切り替え可能か否かを判断し、
切り替え可能と判断するとき、上記処理部における上記電光変換の特性をユーザの選択操作に応じて切り替える
前記（１）に記載のビデオ処理装置。
（３）上記制御部は、
上記入力系が放送であるときは切り替え不可能と判断する
前記（２）に記載のビデオ処理装置。
（４）上記制御部は、
上記取得されたビデオデータに関連した光電変換の特性情報に基づいて切り替え可能か否かを判断し、
切り替え可能と判断するとき、上記処理部における上記電光変換の特性をユーザの選択操作に応じて切り替える
前記（１）に記載のビデオ処理装置。
（５）上記制御部は、
上記光電変換の特性情報がハイダイナミックレンジの光電変換の特性情報であるときは切り替え不可能と判断する
前記（４）に記載のビデオ処理装置。
（６）上記ユーザの選択操作に応じて切り替えられる電光変換の特性に、第１のハイダイナミックレンジ電光変換に基づいたものと、第２のハイダイナミックレンジ電光変換に基づいたものが含まれる
前記（１）から（５）のいずれかに記載のビデオ処理装置。
（７）上記第１のハイダイナミックレンジ電光変換に基づいたものは、ＳＭＰＴＥ  ＳＴ２０８４、またはＩＴＵ−Ｒ  ＢＴ．２１００で規定されているものに対応しており、上記第２のハイダイナミックレンジ電光変換に基づいたものは、ＩＴＵ−Ｒ  ＢＴ．２１００（上記ＩＴＵ−Ｒ  ＢＴ．２１００とは異なる）に規定されているものに対応している
前記（６）に記載のビデオ処理装置。
（８）上記制御部は、
上記電光変換の特性を切り替えるための表示を行うように制御し、
上記ユーザの選択操作は上記表示に基づいて行われる
前記（１）から（７）のいずれかに記載のビデオ処理装置。
（９）取得部が、ハイダイナミックレンジビデオデータにハイダイナミックレンジ光電変換を行って得られたビデオデータを取得する取得ステップと、
処理部が、上記取得されたビデオデータに電光変換を含む処理を行って表示用ビデオデータを得る処理ステップを有し、
上記処理ステップでは、自動モードにあるときは、上記電光変換の特性が上記取得されたビデオデータに関連した光電変換の特性情報に対応したものとされ、
制御部が、上記処理ステップにおける上記電光変換の特性をユーザの選択操作に応じて切り替える制御ステップをさらに有する
ビデオ処理方法。
（１０）取得部が、ハイダイナミックレンジビデオデータにハイダイナミックレンジ光電変換を行って得られたビデオデータを取得する取得ステップと、
処理部が、上記取得されたビデオデータに電光変換を含む処理を行って表示用ビデオデータを得る処理ステップを有し、
上記処理ステップでは、自動モードにあるときは、上記電光変換の特性が上記取得されたビデオデータに関連した光電変換の特性情報に対応したものとされ、
制御部が、上記処理ステップにおける上記電光変換の特性をユーザの選択操作に応じて切り替える制御ステップをさらに有する
ビデオ処理方法をコンピュータに実行させるためのプログラム。
【符号の説明】
【００６５】
１００・・・ビデオ処理装置
１０１・・・ＣＰＵ
１１１・・・通信インタフェース
１１２・・・ＵＳＢインタフェース
１１３・・・地上波受信部
１１４・・・ケーブル受信部
１１５・・・ＨＤＭＩ受信部
１１６，１１８・・・セレクタ
１１７・・・ＭＰＥＧデコーダ
１１９・・・ビデオ処理部
１２０・・・ＯＳＤ部
１２１・・・合成部
１２２・・・ディスプレイ
【図１】
2018131704.tif 000003
【図２】
2018131704.tif 000004
【図３】
2018131704.tif 000005
【図４】
2018131704.tif 000006
【図５】
2018131704.tif 000007
【国際調査報告】
2018131704.tif 000008
2018131704.tif 000009
2018131704.tif 000010
2018131704.tif 000011